(57)【要約】      （修正有）【課題】支柱の強度を低下することなく、良好な外観を呈し、製作コストも低廉なフェンスを提供する。【解決手段】支柱１と格子体２の上端部と下端部を支柱１に取付ける上取付金具３０および下取付金具３０とからなり、支柱１は一対の支柱部材から構成され、対向する支柱部材の間に格子体２の一端部を挿入する縦長の空間部が形成され、かつ上取付金具３０および下取付金具３０が回動自在に軸着されており、格子体２は、上胴縁３と下胴縁４と上胴縁３および下胴縁４を連結する複数本の縦格子５とからなり、かつ上下胴縁３，４と縦格子５は回動自在に連結されており、格子体２の一端部が開口に挿入され、複数本の縦格子５のうち、最外端の縦格子５ａは、空間部に収容され、その外表面が空間部の縁部と略面一となる位置に配置されている。一対の支柱部材間の間隔を大きくすることができ、空間部に挿入される縦格子５の寸法を大きくできる。【選択図】図１
2010196289.tif 000002
【特許請求の範囲】
【請求項１】
支柱と格子体と該格子体の上端部と下端部を前記支柱に取付ける上取付金具および下取付金具とからなり、
前記支柱は一対の支柱部材から構成され、対向する支柱部材の間に前記格子体の一端部を挿入する縦長の空間部が形成され、かつ前記上取付金具および前記下取付金具が回動自在に軸着されており、
前記格子体は、上胴縁と下胴縁と該上胴縁および該下胴縁を連結する複数本の縦格子とからなり、かつ前記上下胴縁と前記縦格子は回動自在に連結されており、
前記格子体の一端部が前記開口に挿入され、前記複数本の縦格子のうち、最外端の縦格子は、前記空間部に収容され、その外表面が前記空間部の縁部と略面一となる位置に配置されている
ことを特徴とするフェンス。
【請求項２】
前記上取付金具および前記下取付金具は、左右両側の格子体を連結するよう左格子体連結用と右格子体連結用を備えている
ことを特徴とする請求項１記載のフェンス。
【請求項３】
左格子体連結用の前記上取付金具と右格子体連結用の前記上取付金具は、同一の支軸に通されて前記支柱に軸着され、
左格子体連結用の前記下取付金具と右格子体連結用の前記下取付金具も、同一の支軸に通されて前記支柱に軸着されている
ことを特徴とする請求項２記載のフェンス。
【発明の詳細な説明】
【技術分野】
【０００１】
本発明は、フェンスに関する。さらに詳しくは、公園や遊歩道などにおいて水平地でも傾斜地でも設置できるフェンスに関する。フェンスを水平地に設置しても傾斜地に設置しても、支柱は地面に鉛直に立てなければならないので、胴縁は支柱に対し揺動可能に取付けなければならない。したがって、支柱の側面には胴縁が揺動できる取付空間が必要となる。本発明は、このような支柱の側面に取付空間が生じるフェンスに関する。
【背景技術】
【０００２】
従来の技術として、特許文献１，２のものがある。
特許文献１のフェンスは図６に示されている。
このフェンスは、間隔をおいて配置された中空の支柱101と、この支柱101の両側に連結された胴縁とを備えている。支柱101の両側には貫通口114を形成し、支柱101の内部に杆状のジョイナー124の略中間部を支持させ、このジョイナー124の両側部分を支柱101の貫通口114から外部に露出させ、露出したジョイナー124の各端部に支柱101の両側に配置される各胴縁107の端部を連結固定したものである。
【０００３】
しかるに、特許文献１の従来技術１では、杆状のジョイナー124を通すため、支柱101に貫通孔を形成しなければならず、支柱の加工が必要となり、また支柱の強度低下を招くものであった。
【０００４】
特許文献２のフェンスを図７に基づき説明する。
このフェンスは、支柱体201にフェンス面体202を取付けたフェンス外構の構造である。支柱体201は、対向配置された一対の支柱部材211間の下部に支持部材212が各支柱部材211と一体化されており、一対の支柱部材211の間は空間があいている。フェンス面体202は、上枠部材221と下枠部材226の間に複数本の格子部材227を結合したものである。このフェンス面体202が支柱体201の一対の支柱部材211間の空間に挿入されて支持部材212上で支持されるとともに、一対の支柱部材211各々の上端部がフェンス面体202の上枠部材221に嵌合され、かつボルト止めされている。
【０００５】
上記特許文献２の従来技術２では、一対の支持部材211,211の間にフェンス面体202を挿入するので、支持部材211,211に孔を開ける等の後加工は不要であり、支持部材211,211の強度低下を招くものでもない。しかしながら、格子部材207が支持部材211,211の間に入らなければ、大きな空間があいたままになるし、仮に支持部材211,211の間に入ったとしても、格子部材207は小さく、支持部材211の内面との間に大きな隙間が生じ、外観を悪化するものであった。しかも、従来技術２のようにフェンス面体202の中間部分を支柱体201に固定すると、フェンス面体202を傾斜して取付けることができないという欠点もある。
【０００６】
上記のような欠点があることから、特許文献１，２以外の従来技術では、支柱の開口部をカバーで塞ぐことが行われた。フェンスは、いったん水平地あるいは傾斜地に設置すると、胴縁の連結金具を動かす必要はないので、カバーを取付けても支障が無いことによる。しかしながら、こうすると別部材のカバーが余分に必要となってコスト高になってしまう。
【先行技術文献】
【特許文献】
【０００７】
【特許文献１】特開平１０−２４６０３５号公報
【特許文献２】特開２０００−６４６７１号公報
【発明の概要】
【発明が解決しようとする課題】
【０００８】
本発明は上記事情に鑑み、支柱の強度を低下することなく、良好な外観を呈し、製作コストも低廉なフェンスを提供することを目的とする。
【課題を解決するための手段】
【０００９】
第１発明のフェンスは、支柱と格子体と該格子体の上端部と下端部を前記支柱に取付ける上取付金具および下取付金具とからなり、前記支柱は一対の支柱部材から構成され、対向する支柱部材の間に前記格子体の一端部を挿入する縦長の空間部が形成され、かつ前記上取付金具および前記下取付金具が回動自在に軸着されており、前記格子体は、上胴縁と下胴縁と該上胴縁および該下胴縁を連結する複数本の縦格子とからなり、かつ前記上下胴縁と前記縦格子は回動自在に連結されており、前記格子体の一端部が前記開口に挿入され、前記複数本の縦格子のうち、最外端の縦格子は、前記空間部に収容され、その外表面が前記空間部の縁部と略面一となる位置に配置されていることを特徴とする。
第２発明のフェンスは、第１発明において、前記上取付金具および前記下取付金具は、左右両側の格子体を連結するよう左格子体連結用と右格子体連結用を備えていることを特徴とする。
第３発明のフェンスは、第２発明において、左格子体連結用の前記上取付金具と右格子体連結用の前記上取付金具は、同一の支軸に通されて前記支柱に軸着され、左格子体連結用の前記下取付金具と右格子体連結用の前記下取付金具も、同一の支軸に通されて前記支柱に軸着されていることを特徴とする。
【発明の効果】
【００１０】
第１発明によれば、支柱に形成されている空間部は最外側の縦格子の外表面が略面一に配置されることによって、実質的に塞がれ、空間部が無いように見えるので、外観が良好である。さらに、空間部が塞がれることから一対の支柱部材間の間隔を大きくすることができ、空間部に挿入される上下の胴縁や縦格子の寸法も大きくできる。このため強度の高いフェンスに仕上げることができる。
第２発明においては、支柱の左右両側に格子体を有する場合にも、第１発明と同様に支柱の左右両側に開口する空間部を縦格子で塞ぐことができる。
第３発明によれば、同一支軸を中心として左右の取付金具が回動するので、水平線に対し傾斜させたときに、左右の格子体との間で段差が生じない。このため、傾斜地に設置したときに傾斜ラインの統一観が得られる。
【図面の簡単な説明】
【００１１】
【図１】本発明の一実施形態に係るフェンスにおける支柱まわりの断面図である。
【図２】図１のII−II線矢視断面図である。
【図３】図１のIII−III線矢視拡大断面図である。
【図４】本発明のフェンスを水平地に設置した状態の側面図である。
【図５】本発明のフェンスを傾斜地に設置した状態を示す側面図である。
【図６】従来技術１のフェンスの説明図である。
【図７】従来技術２のフェンスの説明図である。
【発明を実施するための形態】
【００１２】
つぎに、本発明の実施形態を図面に基づき説明する。
図４に基づき本発明の一実施形態に係るフェンスを説明する。１は支柱であり地中に設けた基礎によって鉛直に立設されている。隣り合う支柱１，１間には格子体２が連結されている。格子体２は上胴縁３と下胴縁４と上下の胴縁３，４間を連結する縦格子５からなる。縦格子５は複数本が等間隔に設けられている。支柱１の上部には笠木受け６が取付けられ、この笠木受けに手摺り７が取付けられている。
【００１３】
図１〜図３に基づき、支柱１と格子体２との連結構造を説明する。
図１に示すように、支柱１の上部と下部には、それぞれ支軸２０が設けられている。図３に示すように、支柱１は、断面半円形状の一対の支柱部材１１，１１で形成されており、内壁１２を対向して立設し、対向する内壁１２，１２間には空間部１３が形成されている。さらに、一方の支柱部材１１の内側には支軸用の頭部収容部１４と、他方の支柱部材の内壁１２にはナット収容部１５が形成されている。なお、この支柱部材１１はアルミニウムなどの軽金属の押出し形材によって形成されている。
支軸２０は、ナットの螺合が可能なボルトであり、頭部収容部１４と２枚の内壁１２，１２を貫通し、ナット２１で締めて固定されている。図１に示す上部と下部の２本の支軸２０とも同一の構造である。
【００１４】
前記上方の支軸２０には、それぞれ左右の上取付金具３０が取付けられている。各取付金具３０は、ボス部３１とそれに連なる結合腕３２とを有している。ボス部３１の長さは、対向する内壁１２，１２間の寸法の約半分であり、左右の取付金具３０，３０のボス部３１，３１とも１本の支軸２０に通されている。
前記下方の支軸２０にも、それぞれ左右の下取付金具３０が取付けられている。この下取付金具３０の構成は、前記上取付金具３０と実質同一である。
【００１５】
図１に示す格子体２の構造は支柱１の左側も右側も同じであり、いずれも上胴縁３の端部が上取付金具３０に連結板３３を介して連結され、下胴縁４の端部が下取付金具３０に連結板３３を介して連結されている。連結板３３と上下胴縁３，４は螺子止めされており、しかも連結板３３も空間部１３内に位置しているので、螺子等が目視され難く、外観が良い。
【００１６】
前記格子体２の上下の胴縁３，４は既述のごとく複数本の縦格子５で結合されているが、そのうち、最外側の縦格子を符号５ａとする。
縦格子５，５ａの断面形状は略四角形の中空筒であり、アルミニウム等の軽金属材の押出し成形材である。
最外側の縦格子５ａは上下の胴縁３，４の最外側に結合されているが、組上り状態において、支柱１の空間部１３、すなわち内壁１２，１２の間に挿入された位置にある（図２、図３参照）。また、その外表面、つまり隣接する縦格子５に面する側の表面は、支柱１の外表面と略面一となっている（図１、図３参照）。
【００１７】
上記のように、支柱１に形成されている空間部１３は最外側の縦格子５ａで実質的に塞がれるので、隙間が無いように見え、外観が良好である。さらに、空間部が塞がれることから、空間部の開口幅は大きくてもよいので、開口に一端が挿入される上下の胴縁３，４や縦格子５の寸法を大きくできる。このため、強度の高いフェンスに仕上げることができる。
【００１８】
格子体２の上胴縁３、下胴縁４と縦格子５は取付螺子（不図示）等を介して回動自在に連結されているので、左右の格子体２，２は支軸２０を中心として揺動可能である。したがって、図４に示すように、支柱１に隣り合う格子体２を水平に設置することもできるし、図５に示すように格子体２を傾斜させて設置することもできる。
したがって、本実施形態のフェンスによれば、同一支軸２０を中心として左右の取付金具３０が回動するので、水平線に対し傾斜させたときに、左右の格子体２，２との間で段差が生じない。このため、傾斜地に設置したときに傾斜ラインの統一観が得られるという利点もある。
【符号の説明】
【００１９】
１      支柱
２      格子体
３      上胴縁
４      下胴縁
５，５ａ  縦格子
１１      支柱部材
２０      支軸
３０      取付金具
【図１】
2010196289.tif 000003
【図２】
2010196289.tif 000004
【図３】
2010196289.tif 000005
【図４】
2010196289.tif 000006
【図５】
2010196289.tif 000007
【図６】
2010196289.tif 000008
【図７】
2010196289.tif 000009